(57)【要約】コンテンツアイテムに条件付アクセスを与える方法及び与えるよう構成される装置（１００）である。コンテンツアイテムの複製は、記憶媒体（１１０）上に格納される。監視手段（１１１）が、コンテンツアイテムの次の伝送のために伝送チャンネルを監視し、そのような次の伝送を検出すると、権利収集手段（１１２）が、次の伝送に関連付けられる、再生権利であることが好適である少なくとも１つの権利を集める。この少なくとも１つの権利は、記憶媒体（１１０）に、格納されるスペシメンに関連付けられる権利として格納される。この権利は選択的に、携帯可能な装置（１２０）に転送されることが可能である。
2005503083.tif 000002
【特許請求の範囲】
【請求項１】
コンテンツアイテムに条件付アクセスを与える方法において、前記コンテンツアイテムのスペシメンは、記憶媒体上に格納される前記方法であって、
前記コンテンツアイテムの更なるスペシメンの次の伝送のために伝送チャネルを監視する段階と、
前記次の伝送に関連付けられる少なくとも１つの権利を収集する段階と、
前記少なくとも１つの権利を、前記格納されるスペシメンに関連付けられる権利として格納する段階と、
を有する方法。
【請求項２】
前記少なくとも１つの権利を収集する段階は、前記格納されるスペシメンが再生され得る回数を示すカウンタをインクリメントする段階を有する請求項１記載の方法。
【請求項３】
前記スペシメンは、ゼロの初期値を有する前記カウンタと共に前記記憶媒体上に格納される請求項２記載の方法。
【請求項４】
コンテンツアイテムに条件付アクセスを与えるよう構成される装置であって、
前記コンテンツアイテムのスペシメンを格納する記憶媒体と、
前記コンテンツアイテムの更なるスペシメンの次の伝送のために伝送チャンネルを監視する監視手段と、
前記次の伝送に関連付けられる少なくとも１つの権利を収集し、前記少なくとも１つの権利を前記格納されるスペシメンに関連付けられる権利として格納する権利収集手段と、
を有する装置。
【請求項５】
前記伝送チャネルは、ブロードキャストチャンネルである請求項４記載の装置。
【請求項６】
前記監視手段は、前記伝送チャネルを介して伝送される前記コンテンツアイテムの前記更なるスペシメンのハッシュ値を計算し、且つ、前記ハッシュ値を、前記格納されるスペシメンの更なるハッシュ値に対し比較するよう構成される請求項４記載の装置。
【請求項７】
前記監視手段は、前記次の伝送のために複数の伝送チャネルを同時に監視するよう構成される請求項４記載の装置。
【請求項８】
前記格納される少なくとも１つの権利と共に前記格納されるスペシメンを、携帯可能な装置に転送する転送手段を更に有する請求項４記載の装置。
【発明の詳細な説明】
【０００１】
本発明は、コンテンツアイテムに条件付アクセスを与える方法に係る。本発明は更に、コンテンツアイテムに条件付アクセスを与えるよう構成される装置に係る。
【０００２】
オーディオ及びビデオクリップは、そのコンテンツアイテムを消費者は１回以上消費したいと思う点で、他のタイプのコンテンツアイテムとは異なる。更に、音楽及びビデオクリップ、特により人気のあるものは、様々な伝送チャンネルを介して何回もブロードキャストされる。ブロードキャストされるコンテンツの基本的な特徴の１つは、それは、プルモデルの代わりにプッシュモデルを用いることである。コンテンツは、消費者ではなくブロードキャスタにより決められた時間且つ順番でブロードキャストされる。このことは、様々なサービスプロバイダが、互いに同時に彼らの選択したコンテンツをブロードキャストすることをもたらす。
【０００３】
ブロードキャストされるコンテンツを識別することが可能である。識別情報を有する透かしをコンテンツアイテムに埋め込むことができる。署名又はハッシュ値を、受信したコンテンツアイテムから計算し、様々なコンテンツアイテムの署名又はハッシュを有するデータベースと比較することができる。例えば、ＤＶＢ、ＡＴＳＣ、又はＴＶ−Ａｎｙｔｉｍｅに特定されるようなメタデータを用いるような多くの他のソリューションも利用可能である。
【０００４】
オーディオ、ビデオ、及び他のコンテンツアイテムは、様々なコピープロテクトメカニズムによって複製することが阻止される。多くのブロードキャストシステムは、ブロードキャストした情報を複製することを許可しない。しかし、将来におけるある時間までコンテンツアイテムの表現を遅らすことは許可される。このことは、「タイムシフティング」として知られる。消費者は、午後にブロードキャストされる映画を記録するようテレビジョンをプログラムして、それを、夜に再生することができる。
【０００５】
このアプローチの不利点は、消費者は、依然として、消費者が見たいコンテンツアイテムの特定のブロードキャストを記録しなければならないという点である。消費者がその見たいコンテンツアイテムを逃すと、その見たいコンテンツアイテムを記録することができるには、次のブロードキャストを待たなければならない。更に、再生権は、典型的に１回なので、そのコンテンツを２回見たい場合には、消費者は、そのコンテンツを２回記録しなければならない。このことは不都合である。
【０００６】
本発明は、権利管理システムによって保護されるコンテンツアイテムに、より柔軟性のあるアクセスを与える、前文に説明したような方法を提供することを目的とする。
【０００７】
この目的は、本発明によると、コンテンツアイテムの更なるスペシメンの次の伝送のために伝送チャネルを監視する段階と、次の伝送に関連付けられる少なくとも１つの権利を収集する段階と、少なくとも１つの権利を、格納されるスペシメンに関連付けられる権利として格納する段階とを有する方法において達成される。次の伝送は、少なくともコンテンツアイテムを１回再生する権利を有する。このコンテンツアイテムを１回再生する権利は、後で行使することができる。
【０００８】
従って、効果的に、その複製が格納されるコンテンツアイテムに関連付けられる伝送される権利は、収集され、且つ、格納されるスペシメンに関連付けられて格納される。従って、消費者は、コンテンツが再度ブロードキャストされるまで待つのではなく、都合の良いときに収集した権利を行使することができる。
【０００９】
１つの実施例では、少なくとも１つの権利を収集する段階は、格納されるスペシメンが再生され得る回数を示すカウンタをインクリメントする段階を有する。多くのコピープロテクト及び権利管理システムは、特定のコンテンツアイテムは、一般的に、制限される回数分、再生される、又は、「チェックアウト」され得るという概念に基づいている。このことは、一般的に、格納されるスペシメンに関連付けられるカウンタを用いてモデル化される。従って、次の伝送と共に受信される再生権は、単純に、カウンタを増加することにより格納できる。
【００１０】
この実施例の１つの変形において、スペシメンは、ゼロの初期値を有する前記カウンタと共に記憶媒体上に格納される。本来なら、コンテンツアイテムのスペシメンを少なくとも１つの再生権無しで格納することはほとんど意味がない。しかし、本発明では、再生権は、伝送チャネルを監視することにより収集されるので、任意の再生権をすぐに与えることなく格納するためのスペシメンを分配することが有用となる。
【００１１】
本発明は更に、権利管理システムにより保護されるコンテンツアイテムに、より柔軟性のあるアクセスを与える、前文に記載したような装置を提供することを目的とする。
【００１２】
この目的は、本発明によると、コンテンツアイテムのスペシメンを格納する記憶媒体と、コンテンツアイテムの更なるスペシメンの次の伝送のために伝送チャンネルを監視する監視手段と、次の伝送に関連付けられる少なくとも１つの権利を収集し、少なくとも１つの権利を格納されるスペシメンに関連付けられる権利として格納する権利収集手段とを有する装置において達成される。
【００１３】
１つの実施例において、伝送チャネルは、ブロードキャストチャンネルである。コンテンツアイテムを受信装置に伝送するには多くの様々な方法があるが、ブロードキャスト媒体が、本発明に適合するようなやり方でコンテンツアイテムを分配する可能性が最も高い。
【００１４】
更なる実施例において、監視手段は、伝送チャネルを介して伝送されるコンテンツアイテムの更なるスペシメンのハッシュ値を計算し、且つ、そのハッシュ値を、格納されるスペシメンの更なるハッシュ値に対し比較するよう構成される。ハッシュ値をうまく比較することにより、伝送されたスペシメンが、格納されたスペシメンと同一のコンテンツアイテムであることを特定する。従って、伝送されるコンテンツアイテムが、透かしのような識別子を有することが必要でなくなる。このことは、分配側において更なる措置をとる必要がなく、且つ、本発明は、いかなる方法でもマーク付けされていないコンテンツアイテムに働きかけることを意味する。
【００１５】
更なる実施例において、監視手段は、次の伝送のために複数の伝送チャネルを同時に監視するよう構成される。このことは特に、伝送チャネルがデジタル伝送チャネルである場合に有利である。そのような場合、一般的に、様々なチャネルは、当該の装置にブロードキャストされる、そうでなければ、伝送される単一のデータストリームに多重化される又は互いに組合わされる。
【００１６】
更なる実施例において、本発明の装置は、格納される少なくとも１つの権利と共に格納されるスペシメンを、携帯可能な装置に転送する転送手段を更に有する。そのような転送は、一般的に、コンテンツを複製する権利が必要であり、且つ、当然ながら、コンテンツアイテムを携帯可能な装置上で再生する権利も必要である。
【００１７】
本発明のこれらの及び他の面は、図面に示す実施例を参照することにより明らかとなり且つ説明する。
【００１８】
全図面に亘って、同一の参照番号は同様の又は対応する特徴を示す。図面に示す特徴の一部は、一般的にソフトウェアにおいて実施され、これらは、ソフトウェアモジュール又はオブジェクトといったソフトウェアエンティティを表す。
【００１９】
図１は、コンテンツアイテムを表現するよう構成される装置１００を示す。装置１００は、例えば、テレビジョンで有り得るが、ラジオでも別の再生装置で有り得る。コンテンツアイテムは、テレビジョン番組、映画、ショー、ラジオ番組、又は、音楽の一部などである。
【００２０】
コンテンツアイテムが表現される正確な方法は、装置のタイプとコンテンツのタイプに依存する。例えば、ラジオ受信器では、表現とは、オーディオ信号の生成と、オーディオ信号のスピーカへの供給を意味する。テレビ受像機では、表現とは、オーディオ及びビデオ信号の生成と、オーディオ及びビデオ信号の表示画面及びスピーカへの供給を意味する。他のタイプのコンテンツでは、似たような適切な動作が行われなければならない。表現とは、受信信号の解読又はデスクランブル、オーディオ及びビデオ信号の同期化等も意味し得る。
【００２１】
装置１００は、ビデオ及びオーディオを夫々出力するためのディスプレイ１０１とスピーカ１０２を有する。遠隔制御器といった入力装置１０３を用いて、消費者は、利用可能なコンテンツアイテムを検索し、表現のためにそのうちの１つを選択することができる。コンテンツアイテムは一般的に、例えば、アンテナ１０４又はケーブルネットワークを介して外部ソースから利用可能にされるが、装置１１０に接続されるビデオ又はＤＶＤプレーヤといったローカルソースからも利用可能で有り得る。一般的に、コンテンツアイテムは、ブロードキャスト伝送媒体を用いて伝送される。
【００２２】
装置１００がデジタルテレビ受像機である場合、コンテンツアイテムは、一般的に、装置１００に伝送される１つのトランスポートストリームに多重化される又は組合わされる別個のデータストリームとして伝送される。しかし、原則的に、多数のコンテンツアイテムを伝送することのできる任意の伝送媒体を用いることができる。
【００２３】
伝送されるコンテンツアイテムの少なくとも一部は、１つ以上の関連付けられる権利と共に伝送されるものとする。例えば、映画は、映画を１回再生するための権利と共に伝送されるが、記憶媒体上に映画を格納する権利とは伝送されない。その一方で、ドキュメンタリは、無限の再生権と、記憶媒体上にドキュメンタリを格納する１つの権利が与えられ得る。
【００２４】
伝送されるコンテンツアイテムは、識別子が与えられ得る。例えば、一意の識別コードが、透かしによってコンテンツアイテムに埋め込まれ得る。ＴＶ−Ａｎｙｔｉｍｅといった標準化団体は、コンテンツアイテムの伝送内に識別情報を与える新しい信号伝送方式を提案している。しかし、伝送されるコンテンツアイテムの全てが、ビデオ及びオーディオをそれぞれ出力するためにそのような識別子を有するわけではない。
【００２５】
消費者が１回以上見たいコンテンツアイテムは、記憶媒体１１０上に記録することができる。この記憶媒体１１０は、例えば、ビデオレコーダ、ＤＶＤ−ＲＷプレーヤ／レコーダ、装置１００に内蔵されるハードディスク、又は任意の好適な記憶媒体で有り得る。コンテンツアイテムは、例えば、アンテナ１０４を介して受信した伝送からコンテンツアイテムを記録することによって記憶媒体１１０上に記録し得るが、記憶媒体１１０は、単純に、コンテンツアイテムが前に記録されたＤＶＤディスクでも有り得る。
【００２６】
装置１００には、消費者が関心を寄せ得るコンテンツアイテムの種類を判断するよう装備され得る。このことは、ユーザプロファイリングとして知られる。消費者が視聴するコンテンツアイテムを記録する、更に、そのようなコンテンツアイテムに対する間接的及び／又は直接的な格付けシステムを用いることによって、消費者が関心を寄せ得る他のコンテンツアイテムを様々な正確さで予測することができるようになる。そうすると、消費者が関心を寄せ得るコンテンツアイテムを自動的に記録することが可能となる。このようなコンテンツアイテムは、記憶媒体１００上に記録され得る。ユーザプロファイリングのための多くの技術は、当該技術において知られている。一部の例を以下に示すが、他の技術を用いることも可能である。様々な技術の組合わせも可能である。
【００２７】
本出願と同じ出願人による同時係属中の米国特許出願番号０９／６６６４０１（代理人整理番号ＰＨＵＳ０００２３９）は、組合わされた間接／直接的番組推薦スコアに基づいてテレビジョン番組推薦を生成するテレビジョン番組リコメンダを記載する。
【００２８】
本出願と同じ出願人による同時係属中の米国特許出願番号０９／４９８２７１（代理人整理番号ＰＨＵＳ００００１８）は、特定のコンテンツアイテムが特定のプロファイルに適合する確率を計算するためにベイズ（Ｂａｙｅｓｉａｎ）分類子を使用することを記載する。
【００２９】
本出願と同じ出願人による同時係属中の米国特許出願番号０９／４６６４０６（代理人整理番号ＰＨＡ２３９０２）は、過去の視聴行動に基づいて、特定の視聴者の関心となり得る推薦番組のセットを識別するために帰納的原理を利用するもう１つの技術を記載する。
【００３０】
コンテンツアイテムが一旦記憶媒体１１０上に記録されると、監視モジュール１１が、当該のコンテンツアイテムの次の伝送のために様々な伝送の監視を開始する。コンテンツアイテムが特定の伝送チャネル上で検出されると、監視モジュール１１１は、権利収集モジュール１１２をアクティブにする。権利収集モジュール１１２は、コンテンツアイテムの伝送されたスペシメンに関連付けられる少なくとも１つの権利を集め、集めた権利を、記憶媒体１１０に、格納されたコンテンツアイテムに関連付けられる権利として格納する。
【００３１】
１つの実施例では、監視モジュール１１１は、記憶媒体１１０上に格納されるコンテンツアイテムの次なる伝送のために１つのチャンネルを監視する。多くのチャンネルを同時に監視することによって改善を達成することができる。デジタルブロードキャスト技術に用いるような技術によって、容易に監視をすることができる１つのブロードキャストストリームに多数数の異なるチャンネルを組合わせることによってこの改善を容易にする。
【００３２】
監視モジュール１１１が、記憶媒体１１０上に格納されるコンテンツアイテムと同じコンテンツアイテムを、特定の伝送チャンネル上の特定の伝送が有することを判断できるようにする様々な方法がある。この伝送が、例えば、ＴＶ−Ａｎｙｔｉｍｅ規格に応じて形式化されたシグナリング情報といった特定の識別子を有する場合、そのような判断は、識別子を比較するという単純な問題である。コンテンツアイテムは、ＵＰＣ／ＥＨＮ番号によって識別されることもできる。電子番組ガイド（ＥＰＧ）によって利用可能となる情報も、コンテンツアイテムを識別するために用いることができる。
【００３３】
伝送には透かしが付けられることも可能である。監視モジュール１１１は、その場合、伝送内に埋め込まれる透かしを抽出し、透かしから識別子を抽出し、その抽出した識別子を、透かし、（又は、そうでなければ）格納されたスペシメンに格納される識別子と比較する必要がある。
【００３４】
直接的に利用可能な、又は、例えば、透かしを介して伝送内に隠される識別子がない場合には、監視モジュール１１１は、伝送の署名を決定し、その署名を、格納されたスペシメンに対し計算された更なる署名と比較することができる。このような目的のために様々な技術が存在し、例えば、コンテンツアイテムのロバストなハッシュを計算する技術がある。一般的に、署名の決定には、ハッシュされるコンテンツアイテムの特徴又は一部を識別且つ抽出することと、これらの特徴を、前に格納した値と容易に比較することができるよう数値に組合わせることが関連する。このようにすると、コンテンツアイテムの様々なスペシメンにおける小さな変化が、異なるハッシュ値を生成しないようになる。
【００３５】
米国特許第４，６７７，４６６号は、テレビジョン信号から署名を得る公知の方法を開示する。この従来技術の方法では、署名は、例えば、ブランクフレームといった特定のイベントが発生した後の短いビデオ又はオーディオシーケンスから得られる。コンテンツアイテムのロバストなハッシュ値を計算する別の方法は、本出願と同一の出願人への欧州特許出願番号０１２００５０５．４（代理人整理番号ＰＨＮＬ０１０１１０）に記載される。
【００３６】
権利収集モジュール１１２がアクティブにされると、このモジュール１１２は、伝送されるスペシメンに関連付けられる少なくとも１つの権利を集める。この権利は、コンテンツアイテムを少なくとも１回再生する権利であることが好適である。伝送されるスペシメンに関連付けられる権利は、格納されたスペシメンと同じデジタル権利管理システムに応じて形式化される必要はないが、このことは、システムの複雑さを低くするためには好適である。集められた権利は、格納されたスペシメンに関連付けられる権利として記憶媒体１１０上に格納される。権利は、コンテンツアイテムが再生され得る時間に関して制限を有し得る。このような制限は、考慮されるべきである。
【００３７】
この権利は、例えば、伝送内の識別子に対応する権利に識別子を与えることによって、特定の伝送に拘束され得る。更に、権利は、特定の伝送チャネル及び時間枠を示すことができ、その場合、権利は、特定の伝送に間接的に参照することになる。権利は、更に、特定の伝送ではなく、コンテンツアイテム自体を識別し得る。最初の２つの場合は、権利が、特定の伝送ではなく、コンテンツアイテムの別のスペシメンに用いられ得るか否かは、論争の余地がある。最後の場合は、そのような問題はない。
【００３８】
権利保持者が、例えば、前段落に記載したような最初の２つの場合において、上述したように権利を集めることに異議を唱える場合に対処するために、伝送されるスペシメンに関連付けられる権利にフィールドを付加することが提案される。このフィールドは、この権利が、コンテンツアイテムの別のスペシメンに用いられ得るか否かを示す。これは、単純なビットフィールドとして実施され得、その場合、値０は、権利を集めることが許可され、値１は、権利を集めることが許可されない、又はその反対を示す。この場合、権利収集モジュール１１２は、このフィールドを考慮にしなければならない。
【００３９】
権利は、単純に、格納されたスペシメンに関連付けられる記憶媒体上のカウンタを維持することによって記憶媒体上に格納することができる。伝送されるスペシメンに関連付けられる権利が集められる度に、カウンタは、各集められた再生権につき１つ増加される。格納されたスペシメンが再生される度に、カウンタは１つ下げられる。カウンタを用いて権利管理を行う２つの技術は、国際特許出願ＷＯ０１／３３３１７（代理人整理番号ＰＨＡ２３８２９）及びＷＯ９８／３３３２５（代理人整理番号ＰＨＡ１６３７２）に開示される。これらは共に、本出願と同じ出願人に対するものである。
【００４０】
１つの実施例では、スペシメンは、ゼロの初期値を有する関連付けられるカウンタと共に格納される。このことは、コンテンツアイテムの複製を有するが、再生権はないＤＶＤといった記録担体を利用可能にすることにより映画といった特定のコンテンツアイテムを宣伝することを配給業者に可能にする。この複製を再生するには、消費者は、再生権を購入する必要がある。本発明では、そのスペシメンが記録担体上に格納されるコンテンツアイテムの次なるブロードキャスト伝送は、再生権を最初に購入することなく格納されたスペシメンを一度視聴することを消費者に可能にする。
【００４１】
格納されたスペシメンは、伝送媒体を介して利用可能にされ、且つ、例えば、ユーザプロファイルに応じて記録され得る。例えば、ブロードキャスタは、ローカルの記憶媒体１１０に映画を自動的に記録するよう構成される受像機には夜間に映画をブロードキャストするよう選択し得る。その場合、消費者は、好きな時間に映画を見ることを選択すること、又は、すぐに映画を視聴することができる。このことは、多くの異なる映画を同時にブロードキャストするためには必要である大量の帯域幅のないビデオ・オン・デマンドを可能にする。本発明では、このようなダウンロードされた複製は、ゼロの初期値を有するカウンタと共に格納され得る。カウンタは、格納されるスペシメンが、１つの再生権と共に伝送される場合、１の初期値を有し得る。
【００４２】
図２は、装置１００の第２の実施例を概略的に示す。この実施例では、装置１００は更に、転送モジュール１１３を有する。転送モジュール１１３を使って、記憶媒体１１０に格納されるコンテンツアイテムは、手持ち式テレビジョン又は携帯情報端末といった携帯可能な装置１２０に転送されることが可能である。その場合、ユーザは、遠隔地にて、携帯装置１２０上でコンテンツアイテムを視聴することができる。コンテンツアイテムの格納されたスペシメンと共に、１つ以上のコンテンツアイテム再生権も、携帯装置１２０に転送される必要がある。このことは、格納されたスペシメンに関連付けられるカウンタを下げ、同時に、携帯装置１２０内のカウンタを上げることによって単純に実施することができる。
【００４３】
その複製が記憶媒体１１０上に格納されるコンテンツアイテムのスペシメンが、携帯装置１２０に既にある場合、コンテンツアイテムを再生するための１つ以上の権利のみが装置１００から携帯装置１２０に転送される必要がある。このようにすることによって、装置１００は、他の装置ための再生権のソースとして機能する。この場合、再生権を購入又は入手する手段を携帯装置１２０に設ける必要がもはやなくなる。しかし、他の理由では、このことは依然として望ましい場合もある。
【００４４】
装置１００は、他の装置に相互接続され得る。このような相互接続の例は、一部のアクセス又はインホームネットワークである。このようなネットワークの例は、ＩＥＥＥ１３９４（ｉＬｉｎｋ又はＦｉｒｅＷｉｒｅとも称する）、イーサネット（登録商標）、又は、一部の他のＩＰネットワーク、赤外線、ワイヤレスラン、ハイパーラン２、又はブルートゥースといった一部のワイヤレスネットワーク技術である。格納された権利は、このネットワークを介して配られることが可能である。
【００４５】
更に、記憶媒体１１０は、装置１００内ではなく、ネットワークに接続される別の装置上に有り得る。更に、ネットワーク上の様々な装置は、集められる権利の範囲及び数を増加するために互いに異なるチャンネルをそれぞれ監視することができる。更に、権利管理システムの正確な定義に依存して、多数の装置が同一のブロードキャストチャンネルを複数回監視すると、集められる再生権の数は、１回ではなく複数回増加し得る。
【００４６】
尚、上述した実施例は、本発明を説明するものであって制限するものではない。当業者は、特許請求の範囲から逸脱することのない多くの別の実施例を設計することが可能であろう。
【００４７】
請求項において、括弧内の参照符号は、請求項を制限すると考えるものではない。「有する」という言葉は、請求項に列挙される構成要素又は段階以外の構成要素又は段階の存在を排除するものではない。単数形で示される素子は、その素子が複数存在することを排除するものではない。本発明は、幾つかの別個の素子を有するハードウェアと、好適にプログラムされるコンピュータによって実行されることが可能である。
【００４８】
幾つかの手段を列挙する装置の請求項において、これらの手段のうちの幾つかは、１つのハードウェアのアイテムとして具現化されることが可能である。特定の手段が互いに異なる従属項に記載されるという事実は、これらの手段の組合わせを有利に用いることができないということを示唆するものではない。
【図面の簡単な説明】
【００４９】
【図１】本発明の装置の１つの実施例を概略的に示す図である。
【図２】本発明の第２の実施例を概略的に示す図である。
【国際公開パンフレット】
2005503083.tif 000003
2005503083.tif 000004
2005503083.tif 000005
2005503083.tif 000006
2005503083.tif 000007
2005503083.tif 000008
2005503083.tif 000009
2005503083.tif 000010
2005503083.tif 000011
2005503083.tif 000012
2005503083.tif 000013
2005503083.tif 000014
2005503083.tif 000015
2005503083.tif 000016
【国際公開パンフレット（コレクトバージョン）】
2005503083.tif 000017
【国際調査報告】
2005503083.tif 000018
2005503083.tif 000019